(57)【要約】      （修正有）【課題】装着が容易であり、冷却パッドの位置がずれず、かつ、快適な使用感が得られ、また、装着時に皮膚が蒸れてふやけたり、かぶれたりするようなことがない頭部冷却具を提供する。【解決手段】頭部冷却具Ａは、身体頭部の額から後頭部にわたって周着可能なリング状の帯状体１０であって、該帯状体１０が、保冷材を出し入れできる開口部１２を形成した収納部１１を有する。【選択図】図２
0003169053.tif 000002
【実用新案登録請求の範囲】
【請求項１】
身体頭部の額から後頭部にわたって周着可能なリング状の帯状体であって、
該帯状体が、保冷材を出し入れできる開口部を形成した収納部を有する
ことを特徴とする頭部冷却具。
【請求項２】
収納部内部の内面に通気性のある防水性布帛が重ね合わされている
ことを特徴とする請求項１に記載の頭部冷却具。
【請求項３】
帯状体が筒状体により形成され、該筒状体の内部が保冷材の収納部である
ことを特徴とする請求項１又は２に記載の頭部冷却具。
【請求項４】
筒状体に開口部が複数箇所形成されている
ことを特徴とする請求項３に記載の頭部冷却具。
【請求項５】
収納部が帯状体に取着されてなるものであって、
該収納部が、上部又は側部に開口部を有するポケット状のものである
ことを特徴とする請求項１又は２に記載の頭部冷却具。
【請求項６】
帯状体が伸縮性生地より形成されている
ことを特徴とする請求項１〜５のいずれか１項に記載の頭部冷却具。
【請求項７】
帯状体が、その上部周縁及び下部周縁に伸縮性紐が取着されてなる
ことを特徴とする請求項１〜６に記載の頭部冷却具。
【考案の詳細な説明】
【技術分野】
【０００１】
本考案は、身体の頭部を良好に冷やすことができる頭部冷却具に関し、特に頭部への装着が容易であり、かつ、保冷材の出し入れが容易である頭部冷却具に関する。
【背景技術】
【０００２】
従来より、病気などで発熱した際に頭部を冷却したり、または、夏期に寝苦しさの解消や清涼感を得る際に、また、熱射病防止のために、頭部を冷却する冷却パッドが使用されている。このような冷却パッドで頭部を冷やすには、冷却パッドを頭部にあてがい、その上からタオル等の帯状物を巻いて結んだり、冷却パッドをくるんだタオル等の帯状物を頭部に巻きつけて結ぶことにより冷却パッドを頭部に装着固定していた。また、近年、冷却パッドの一方の面に接着性を付与し、その接着力により頭部に直接接着固定するものが開発されている。
【考案の概要】
【考案が解決しようとする課題】
【０００３】
しかしながら、冷却パッドを頭部にあてがい、その上からタオル等の帯状物を巻きつけて、又は冷却パッドをくるんだタオル等の帯状物を頭部に巻きつけて結ぶことにより冷却パッドを頭部に装着固定する方法では、その装着が面倒であると共に、巻きつけ力が一定しないので、装着中に巻きつけが緩んで冷却パッドの位置がずれたり、外れたりすることがある。また、巻きつけ固定するために生ずる結び目が異物感を覚えさせ、不快の原因になるおそれがあった。
【０００４】
また、接着力により頭部、特に額に直接接着する方法では、接着した部分が蒸れて皮膚がふやけたり、皮膚がかぶれたり、また、頭部を冷やしすぎてしまうおそれがあり、しかも、皮膚の状態や汗をかくなどにより接着性が安定せず、脱落するおそれがあり、さらに、頭髪がある箇所には接着性が悪く使用できないという欠点があった。
【０００５】
そこで、本考案者は、上記の課題に鑑み、鋭意研究を重ねた結果、装着が容易であり、冷却パッドの位置がずれず、かつ、快適な使用感が得られ、また、装着時に皮膚が蒸れてふやけたり、かぶれたりするようなことがない頭部冷却具を考案した。
【課題を解決するための手段】
【０００６】
本考案に係る頭部冷却具は、身体頭部の額から後頭部にわたって周着可能なリング状の帯状体であって、該帯状体が、保冷材を出し入れできる開口部を形成した収納部を有することを特徴とするものである。
【０００７】
上記のように構成したことにより、従来のように、タオルで巻いて結びつけるような手間が掛からず、また、帯状体の収納部に保冷材を収納する構成であるため、保冷材が直接皮膚に触れないため冷えすぎるおそれがない。さらに、額だけではなく、後頭部や側頭部などの頭髪のある部分にも容易に冷却することができ、着脱が容易であるにも拘わらず、容易に脱落しない利点がある。
【０００８】
また、前記の構成に加えて、収納部内部の内面に通気性のある防水性布帛が重ね合わされている構成としてもよい。このように構成した場合には、保冷材が結露しても防水性布帛により水分の流れが遮断されるので、帯状体に水分が伝わらず、外部に漏水することがない。しかも、防水性布帛が通気性を有しているため、結露した水分が蒸発すれば、防水性布帛から外部へ蒸気が抜け出ていくので、常にサラッとした感触があり、装着感が良好である。
【０００９】
さらに、前記の帯状体が筒状体により形成され、該筒状体の内部が保冷材の収納部である構成としてもよく、その場合に開口部は１箇所に限るものではなく、２箇所以上の開口部を設けてもよい。
【００１０】
また、収納部が帯状体に取着されてなるものであって、該収納部が、上部又は側部に開口部を有するポケット状のものである構成としてもよい。このような構成のいずれの場合も、収納部の形成が容易であり、製作コストを低減させる利点がある。
【００１１】
さらにまた、前記の帯状体が伸縮性生地より形成されている構成としてもよく、前記の帯状体が、その上部周縁及び下部周縁に伸縮性紐が取着されてなる構成としてもよい。このように構成すると、頭部に対するフィット性が向上するのみならず、一定の巻きつけ力で頭部に装着することができるので、装着感が快適であると共に、脱落を防ぐ効果がある。
【考案の効果】
【００１２】
本考案に係る頭部冷却具は、リング状の帯状体からなるため、頭部への装着が容易であり、周方向に伸縮性を有しているため、冷却パッドの位置がずれず、かつ、快適な使用感が得られる。また、帯状体の収納部に保冷材を出し入れする構成であるため、装着時に保冷材が皮膚に直接接触しないので、冷えすぎたりするようなことがなく、従来の接着する冷却パッドにおいて生じていたように、皮膚が蒸れてふやけたり、かぶれたりするようなことがない。
【図面の簡単な説明】
【００１３】
【図１】実施例１に係る頭部冷却具の斜視図である。
【図２】実施例１に係る頭部冷却具の一部切欠斜視図である。
【図３】実施例１に係る頭部冷却具に保冷材を収納した状態を示す周方向の断面図である。
【図４】実施例１に係る頭部冷却具を頭部へ装着した状態を示す概略斜視図である。
【図５】実施例１に係る頭部冷却具の変更例であって、その一部切欠斜視図である。
【図６】実施例２に係る頭部冷却具の斜視図である。
【図７】実施例２に係る頭部冷却具に保冷材を収納した状態を示す周方向の断面図である。
【図８】実施例２に係る頭部冷却具の一部切欠斜視図である。
【図９】実施例３に係る頭部冷却具の斜視図である。
【図１０】実施例３に係る頭部冷却具に保冷材を収納した状態を示す周方向の断面図である。
【図１１】実施例３に係る頭部冷却具に保冷材を収納する状態を示す概略斜視図である。
【図１２】実施例４に係る頭部冷却具の斜視図である。
【図１３】実施例４に係る頭部冷却具に保冷材を収納した状態を示す周方向の断面図である。
【図１４】実施例４に係る頭部冷却具に保冷材を収納する状態を示す概略斜視図である。
【考案を実施するための形態】
【００１４】
以下に、本考案に係る頭部冷却具の実施例を添付の図面に基づいて詳細に説明する。
【実施例１】
【００１５】
図1及び図２に示すＡは、実施例１に係る頭部冷却具であって、該頭部冷却具Ａは、リング状の形態をなす帯状体１０と該帯状体１０に有する収納部１１とから構成され、該収納部１１には保冷材Ｐを出し入れできる開口部１２が形成されている。帯状体１０は、タオル地より形成され、内部が中空である筒状体よりなり、内部の中空箇所が保冷材Ｐの収納部１１となり、筒状体に形成した幅方向のスリットが筒状体の内部中空箇所の左右に保冷材Ｐを出し入れすることができる開口部１２となる。したがって、図３に示すように、開口部１２から収納部１１の内部に保冷材Ｐを収納することができる。保冷材Ｐとしては、ジェル状の蓄冷材料を使用したものを用いることが望ましい。ジェル状の蓄冷材料よりなる保冷材Ｐは、冷却効果が長時間維持され、また、保冷材Ｐの冷却効果が低下した場合には、冷蔵庫などで保冷材Ｐを冷却することにより繰り返し使用することできて経済的である。
【００１６】
また、帯状体１０は、その幅方向の上下端から所定間隔をおいて周方向に縫着することにより上下それぞれにゴム紐挿通部１３、１４が形成されて、上下のゴム紐挿通部１３、１４にはゴム紐１５が挿入されており、ゴム紐１５の伸縮力により周方向に伸縮するように構成されている。このようにゴム紐１５の伸縮力により周方向に伸縮することで、帯状体１０は、図４に示すように、身体の頭部に容易に周着でき、かつ、取り外すことができる。また、保冷材Ｐを、図４に示すように、額の箇所にあてがうように頭部冷却具Ａを頭部に装着すれば、額を冷やすことが可能となる。また、図４に示す状態から頭部冷却具Ａを頭の回りに９０度回転させると側頭部を冷やすことができ、頭部冷却具Ａを１８０度回転させると後頭部を冷やすことができる。
【００１７】
以上の構成をなす実施例１に係る頭部冷却具Ａは、帯状体１０の収納部１１に保冷材Ｐを収納する構成であるため、保冷材Ｐが直接皮膚に触れないので冷えすぎるおそれがなく、また、頭部冷却具Ａは、頭部の額だけでなく、後頭部や側頭部などの頭髪のある箇所にも容易に冷却することができ、着脱が容易であるにもかかわらず、ゴム紐１５の伸縮力により容易に脱落しない利点がある。
【００１８】
なお、実施例１においては、帯状体１０を構成する筒状体にタオル地を使用しているが、これに限るものではなく、毛布地、ガーゼ、綿布、ニット地、不織布などの生地を使用してもよく、特に吸水性のあるマイクロファイバー生地が好適である。また、これらの生地として、伸縮性を有していないものを使用してもよく、その場合には、実施例１のように周方向にゴム紐１５を配設することにより伸縮性が付与されるので装着固定上差し支えがなく、もちろん伸縮性を有する生地を使用してもよい。このように伸縮性を有する構成とすることにより、頭部に対するフィット性が向上するのみならず、一定の巻きつけ力で頭部に装着することができるので、装着感が快適であると共に、脱落を防ぐ効果がある。
【００１９】
図５は、上記実施例１の変更例である。実施例１においては帯状体１０を構成する筒状体における開口部１２は、筒状体の内部中空箇所の左右に保冷材Ｐを出し入れすることができるように幅方向のスリットを形成したものである。当該変更例の頭部冷却具Ａ’においては、帯状体１０’を構成する筒状体に形成した開口部１２’は、図５に示すように、幅方向のスリットの一方の開口縁１２ａを筒状体に縫着して閉塞し、他方の開口縁１２ｂのみを開口して収納部１１’内に保冷材Ｐを出し入れできるように構成したものである。このように開口部１２’を構成すると、開口部１２’が広がりすぎない利点がある。
【実施例２】
【００２０】
図６に示すＢは、実施例２に係る頭部冷却具であって、該頭部冷却具Ｂは、リング状の形態をなす帯状体２０と該帯状体２０に有する収納部２１とから構成され、該収納部２１には保冷材Ｐを出し入れできる開口部２２が２箇所形成されている。帯状体２０は、タオル地より形成され、内部が中空である筒状体よりなり、内部の中空箇所が保冷材Ｐの収納部２１となり、筒状体に形成した２箇所の幅方向のスリットは、筒状体の内部中空箇所の左右に保冷材Ｐを出し入れすることができる開口部２２となる。したがって、図６に示すように、２箇所の開口部２２から収納部２１の内部に保冷材Ｐを収納することができ、また、必要に応じて２個の保冷材Ｐを、図７に示すように、帯状体２０の対称位置に容易に収納することができる。なお、開口部を３箇所以上形成してもよい。保冷材Ｐについては実施例１と同様なので、説明を省略する。
【００２１】
また、帯状体２０は、その幅方向の上下端から所定間隔をおいて周方向に縫着することにより上下それぞれにゴム紐挿通部２３、２４が形成されて、上下のゴム紐挿通部２３、２４にはゴム紐２５が挿入されており、ゴム紐２５の伸縮力により周方向に伸縮するように構成されている。このようにゴム紐２５の伸縮力により周方向に伸縮することで、帯状体２０は、実施例１において示す図４と同様に、身体の頭部に容易に周着でき、かつ、取り外すことができる。また、保冷材Ｐを、頭部の額の箇所にあてがうように頭部冷却具Ｂを頭部に装着すれば、額を冷やすことが可能となる。その状態から頭部冷却具Ｂを頭の回りに９０度回転させると側頭部を冷やすことができ、頭部冷却具Ｂを１８０度回転させると後頭部を冷やすことができる。図７に示すように、保冷材Ｐを２個収納した場合には、額と後頭部とを、又、両側頭部を同時に冷やすことができる。
【００２２】
なお、実施例２においては、帯状体２０を構成する筒状体にタオル地を使用しているが、これに限るものではなく、毛布地、ガーゼ、綿布、ニット地、不織布などの生地を使用してもよく、特に吸水性のあるマイクロファイバー生地が好適である。また、これらの生地として、伸縮性を有していないものを使用してもよく、その場合には、実施例２のように周方向にゴム紐２５を配設することにより伸縮性が付与されるので装着固定上差し支えがなく、もちろん伸縮性を有する生地を使用してもよい。このように構成すると、頭部に対するフィット性が向上するのみならず、一定の巻きつけ力で頭部に装着することができるので、装着感が快適であると共に、脱落を防ぐ効果がある。
【００２３】
さらに実施例２にかかる頭部冷却具Ｂは、その帯状体２０の収納部２１内部の内面に通気性のある防水性布帛２６が重ね合わされている。すなわち、図７及び図８に示すように、帯状体２０を構成する筒状体は、開口部２２を形成した内側生地２０ａと外面側となる外側生地２０ｂとから構成され、内側生地２０ａと外側生地２０ｂとにより形成される空間が収納部２１となるものであり、この外側生地２０ｂの内面側に前記の通気性のある防水性布帛２６が重ね合わされている。したがって、実施例２に係る頭部冷却具Ｂは、保冷材が結露しても防水性布帛２６により水分の流れが遮断されるので、帯状体２０の外面側、すなわち外側生地２０ｂに水分が伝わらず、しかも、防水性布帛２６が通気性を有しているため、結露した水分が蒸発すれば、防水性布帛２６から外部へ蒸気として抜け出ていく作用を果たす。
【００２４】
以上の構成をなす実施例２に係る頭部冷却具Ｂは、帯状体２０の収納部２１に保冷材Ｐを収納する構成であるため、保冷材Ｐが直接皮膚に触れないので冷えすぎるおそれがなく、また、頭部冷却具Ｂは、頭部の額だけでなく、後頭部や側頭部などの頭髪のある箇所にも容易に冷却することができ、着脱が容易であるにもかかわらず、ゴム紐２５の伸縮力により容易に脱落しない利点がある。さらに、頭部冷却具Ｂは、開口部２２が対称位置の２箇所に設けられているので、保冷材Ｐが出し入れし易いばかりでなく、対称位置の開口部２２それぞれに保冷材Ｐを収納することにより、頭部の２箇所を同時に冷却することができる。さらにまた、頭部冷却具Ｂは、収納部２１内部の内面に通気性のある防水性布帛２６が重ね合わされているので、外部に漏水することがなく、しかも、常にサラッとした感触があり、装着感が良好である。
【実施例３】
【００２５】
図９に示すＣは、実施例３に係る頭部冷却具であって、該頭部冷却具Ｃは、リング状の形態をなす帯状体３０と該帯状体３０に有する収納部３１とから構成され、該収納部３１には保冷材Ｐを出し入れできる開口部３２が形成されている。帯状体３０は、タオル地より形成され、その幅方向の上下端から所定間隔をおいて周方向に縫着することにより上下それぞれにゴム紐挿通部３３、３４が形成されて、上下のゴム紐挿通部３３、３４にはゴム紐が挿入されており、ゴム紐の伸縮力により周方向に伸縮するように構成されている。このようにゴム紐の伸縮力により周方向に伸縮することで、帯状体３０は、実施例１において示す図４と同様に、身体の頭部に容易に周着でき、かつ、取り外すことができる。
【００２６】
なお、実施例３においては、帯状体３０にタオル地を使用しているが、これに限るものではなく、毛布地、ガーゼ、綿布、ニット地、不織布などの生地を使用してもよく、特に吸水性のあるマイクロファイバー生地が好適である。また、これらの生地として、伸縮性を有していないものを使用してもよく、その場合には、実施例３のように周方向にゴム紐を配設することにより伸縮性が付与されるので装着固定上差し支えがなく、もちろん伸縮性を有する生地を使用してもよい。このように構成すると、頭部に対するフィット性が向上するのみならず、一定の巻きつけ力で頭部に装着することができるので、装着感が快適であると共に、脱落を防ぐ効果がある。
【００２７】
また、実施例３における収納部３１は、帯状体３０に取着されてなるものであって、該収納部３１は側部に開口部３２を有するポケット状のものである。すなわち、リング状の帯状体３０の内面側に、矩形の別布が、その上下部及び一の側部が縫着されており、縫着されていない他の側部が開口部３２となる。したがって、図１０及び図１１に示すように、開口部３２から収納部３１へ保冷材Ｐを横方向から収納することができる。このように収納部３１を構成すると、その形成が容易であり、製作コストを低減させる利点がある。
【００２８】
また、収納部３１に保冷材Ｐを収納し、額の箇所に保冷材Ｐをあてがうように頭部冷却具Ｃを頭部に装着すれば、額を冷やすことが可能となる。その状態から頭部冷却具Ｃを頭の回りに９０度回転させると側頭部を冷やすことができ、頭部冷却具Ｃを１８０度回転させると後頭部を冷やすことができる。保冷材Ｐについては実施例１と同様なので、説明を省略する。
【００２９】
以上の構成をなす実施例３に係る頭部冷却具Ｃは、帯状体３０の収納部３１に保冷材Ｐを収納する構成であるため、保冷材Ｐが直接皮膚に触れないので冷えすぎるおそれがなく、また、頭部冷却具Ｃは、額だけでなく、後頭部や側頭部などの頭髪のある箇所にも容易に冷却することができ、着脱が容易であるにもかかわらず、ゴム紐の伸縮力により容易に脱落しない利点がある。さらに、頭部冷却具Ｃに取着した収納部３１は、横方向に開口部３２を有するポケット状に構成されているため、収納部３１の形成が容易であるので製作コストを低減でき、また、保冷材Ｐの出し入れが極めて容易となる。
【実施例４】
【００３０】
図１２に示すＤは、実施例４に係る頭部冷却具であって、該頭部冷却具Ｄは、リング状の形態をなす帯状体４０と該帯状体４０に有する収納部４１とから構成され、該収納部４１には保冷材Ｐを出し入れできる開口部４２が形成されている。帯状体４０は、タオル地より形成され、その幅方向の上下端から所定間隔をおいて周方向に縫着することにより上下それぞれにゴム紐挿通部４３、４４が形成されて、上下のゴム紐挿通部４３、４４にはゴム紐が挿入されており、ゴム紐の伸縮力により周方向に伸縮するように構成されている。このようにゴム紐の伸縮力により周方向に伸縮することで、帯状体４０は、実施例１において示す図４と同様に、身体の頭部に容易に周着でき、かつ、取り外すことができる。
【００３１】
なお、実施例４においては、帯状体４０にタオル地を使用しているが、これに限るものではなく、毛布地、ガーゼ、綿布、ニット地、不織布などの生地を使用してもよく、特に吸水性のあるマイクロファイバー生地が好適である。また、これらの生地として、伸縮性を有していないものを使用してもよく、その場合には、実施例４のように周方向にゴム紐を配設することにより伸縮性が付与されるので装着固定上差し支えがなく、もちろん伸縮性を有する生地を使用してもよい。このように構成すると、頭部に対するフィット性が向上するのみならず、一定の巻きつけ力で頭部に装着することができるので、装着感が快適であると共に、脱落を防ぐ効果がある。
【００３２】
また、実施例４における収納部４１は、帯状体４０に取着されてなるものであって、該収納部４１は上部に開口部４２を有するポケット状のものである。すなわち、リング状の帯状体４０の内面側に、矩形の別布が、その下部及び両側部が縫着されており、縫着されていない上部が開口部４２となる。したがって、図１３及び図１４に示すように、開口部４２から収納部４１へ保冷材Ｐを上方から収納することができる。このように収納部４１を構成すると、その形成が容易であり、製作コストを低減させる利点がある。
【００３３】
また、収納部４１に保冷材Ｐを収納し、額の箇所に保冷材Ｐをあてがうように頭部冷却具Ｄを頭部に装着すれば、額を冷やすことが可能となる。その状態から頭部冷却具Ｄを頭の回りに９０度回転させると側頭部を冷やすことができ、頭部冷却具Ｄを１８０度回転させると後頭部を冷やすことができる。保冷材Ｐについては実施例１と同様なので、説明を省略する。
【００３４】
以上の構成をなす実施例４に係る頭部冷却具Ｄは、帯状体４０の収納部４１に保冷材Ｐを収納する構成であるため、保冷材Ｐが直接皮膚に触れないので冷えすぎるおそれがなく、また、頭部冷却具Ｄは、額だけでなく、後頭部や側頭部などの頭髪のある箇所にも容易に冷却することができ、着脱が容易であるにもかかわらず、ゴム紐の伸縮力により容易に脱落しない利点がある。さらに、頭部冷却具Ｄに取着した収納部４１は、上方向に開口部４２を有するポケット状に構成されているため、収納部４１の形成が容易であるので製作コストを低減でき、また、保冷材Ｐの出し入れが極めて容易となる。
【符号の説明】
【００３５】
Ｐ・・・保冷材
Ａ・・・頭部冷却具
１０・・帯状体            １１・・収納部
１２・・開口部            １３・・ゴム紐挿通部
１４・・ゴム紐挿通部      １５・・ゴム紐
Ａ’・・頭部冷却具
１０’・帯状体            １１’・収納部
１２’・開口部            １２ａ・開口縁（閉塞側）
１２ｂ・開口縁（開口側）
Ｂ・・・頭部冷却具
２０・・帯状体            ２０ａ・内側生地
２０ｂ・外側生地          ２１・・収納部
２２・・開口部            ２３・・ゴム紐挿通部
２４・・ゴム紐挿通部      ２５・・ゴム紐
２６・・防水性布帛
Ｃ・・・頭部冷却具
３０・・帯状体            ３１・・収納部
３２・・開口部            ３３・・ゴム紐挿通部
３４・・ゴム紐挿通部
Ｄ・・・頭部冷却具
４０・・帯状体            ４１・・収納部
４２・・開口部            ４３・・ゴム紐挿通部
４４・・ゴム紐挿通部
【図１】
0003169053.tif 000003
【図２】
0003169053.tif 000004
【図３】
0003169053.tif 000005
【図４】
0003169053.tif 000006
【図５】
0003169053.tif 000007
【図６】
0003169053.tif 000008
【図７】
0003169053.tif 000009
【図８】
0003169053.tif 000010
【図９】
0003169053.tif 000011
【図１０】
0003169053.tif 000012
【図１１】
0003169053.tif 000013
【図１２】
0003169053.tif 000014
【図１３】
0003169053.tif 000015
【図１４】
0003169053.tif 000016
【手続補正書】
【提出日】平成23年5月2日(2011.5.2)
【手続補正１】
【補正対象書類名】図面
【補正対象項目名】全図
【補正方法】変更
【補正の内容】
【図１】
0003169053.tif 000017
【図２】
0003169053.tif 000018
【図３】
0003169053.tif 000019
【図４】
0003169053.tif 000020
【図５】
0003169053.tif 000021
【図６】
0003169053.tif 000022
【図７】
0003169053.tif 000023
【図８】
0003169053.tif 000024
【図９】
0003169053.tif 000025
【図１０】
0003169053.tif 000026
【図１１】
0003169053.tif 000027
【図１２】
0003169053.tif 000028
【図１３】
0003169053.tif 000029
【図１４】
0003169053.tif 000030